(57)【要約】【課題】コストの低減化を図るとともに、販売効率の向上を図ることができるショーケースを提供すること。【解決手段】内部に各種商品Ｗが陳列されたショーケースにおいて、提示されたＩＣカード（情報記録媒体）から読み出した固有の識別情報が予め決められた販売許容条件を具備する場合に、商品の取り出しを許可する商品取出許可手段と、商品取出許可手段により商品の取り出しが許可された後に取り出された商品Ｗの合計金額を精算する精算手段とを備えたものである。【選択図】      図１
2006184965.tif 000002
【特許請求の範囲】
【請求項１】
内部に各種商品が陳列されたショーケースにおいて、
提示された情報記録媒体から読み出した情報記録媒体固有の識別情報が予め決められた
条件を具備する場合に、商品の取り出しを許可する商品取出許可手段と、
前記商品取出許可手段により商品の取り出しが許可された後に取り出された商品の合計
金額を精算する精算手段と
を備えたことを特徴とするショーケース。
【発明の詳細な説明】
【技術分野】
【０００１】
本発明は、内部に各種商品が陳列されたショーケースの改良に関する。
【背景技術】
【０００２】
従来、前面扉を閉成させて施錠した状態では、内部に陳列された商品の無人販売を可能
にする一方、前面扉を解錠した状態では、利用者（購入者）が前面扉を自由に開閉させて
商品の取り出しを可能にしたショーケースが知られている。
【０００３】
そのようなショーケースにおいては、内部に商品搬送装置が設けてあるのが一般的であ
る。商品搬送装置は、１回の販売時において、利用者からの要求に基づいて利用者が選択
した商品が載置してある商品陳列棚まで移動して該商品を受け取り、その後該商品を商品
取出口まで搬送するものである（例えば、特許文献１および特許文献２参照）。
【０００４】
【特許文献１】特開平４−１８１４９７号公報
【特許文献２】特開２００４−１５２１６５号公報
【発明の開示】
【発明が解決しようとする課題】
【０００５】
ところで、上記ショーケースを無人販売機として利用する場合、すなわち無人店舗等に
おいて自動販売機と同様の形態で利用する場合、商品搬送装置は１回の販売時に一つの商
品しか搬送できない。そのため、一人の利用者が複数の商品を選択する場合には、一人あ
たりの販売に要する時間が長くなり、販売効率の低下を招来する虞れがある。特に、例え
ば昼休み等の利用者が集中する時間帯では、一人あたりの販売時間が長くなるために利用
者が倦厭する事態を招く結果、ショーケースが利用されることが少なくなり、販売効率の
低下が顕著であった。また、商品搬送装置自体が高価なものであるために、結果的にショ
ーケースに要するコストが高いものになるという問題があった。
【０００６】
本発明は、上記実情に鑑みて、コストの低減化を図るとともに、販売効率の向上を図る
ことができるショーケースを提供することを目的とする。
【課題を解決するための手段】
【０００７】
上記目的を達成するために、本発明の請求項１に係るショーケースは、内部に各種商品
が陳列されたショーケースにおいて、提示された情報記録媒体から読み出した情報記録媒
体固有の識別情報が予め決められた条件を具備する場合に、商品の取り出しを許可する商
品取出許可手段と、前記商品取出許可手段により商品の取り出しが許可された後に取り出
された商品の合計金額を精算する精算手段とを備えたことを特徴とする。
【発明の効果】
【０００８】
本発明のショーケースによれば、提示された情報記録媒体から読み出した情報記録媒体
固有の識別情報が予め決められた条件を具備する場合に、商品の取り出しを許可し、許可
された後に取り出された商品の合計金額を精算するようにしたので、１回の販売時に、複
数の商品を販売することができ販売効率の向上させることができる。また、そのようなシ
ョーケースでは、従来必要であった高価な商品搬送装置を必要としないため、コストを低
減させることができる。従って、例えば無人店舗等のような場所に設置して無人販売を可
能にしながら、コストの低減化および販売効率の向上を図ることができるという効果を奏
する。
【発明を実施するための最良の形態】
【０００９】
以下に添付図面を参照して、本発明のショーケースの好適な実施の形態について詳細に
説明する。
【００１０】
図１および図２は、それぞれ本発明の実施の形態に係るショーケースの構成を示したも
のであり、図１は、ショーケースの斜視図であり、図２は、ショーケースの構成を模式的
に示したブロック図である。このショーケースは、容器に収納した飲料や食料等の各種商
品を販売するためのもので、本体キャビネット１を備えている。
【００１１】
本体キャビネット１は、前面が開口した直方状の断熱筐体として形成されたものである
。この本体キャビネット１の内部には、商品収容室２が形成してある。商品収容室２は、
商品を所望の温度に維持した状態で収容するためのものである。この商品収容室２には、
商品陳列棚３が上下方向に沿って複数段に並べて配設してあるとともに、図示せぬ熱交換
器が配設してある。商品陳列棚３は、商品Ｗを載置するためのものであり、それぞれに複
数のコラム４が碁盤目状に形成してある。コラム４は、一つの商品Ｗを載置するためのス
テージである。コラム４についてより詳細に説明すると、各コラム４には、商品Ｗが載置
されているか否かを検知するための商品検知機構５が備えてある。商品検知機構５は、図
３に示すように、アクチュエータ６を備えている。アクチュエータ６は、図示せぬマイク
ロスイッチに接続してあり、駆動することにより売切表示板７を倒置状態から起立状態に
させるためのものである。より具体的に説明すると、アクチュエータ６は、常態において
は、売切表示板７を倒置状態にさせて該売切表示板７の上に商品Ｗの載置を許容する一方
、商品Ｗが取り出された場合には、駆動して売切表示板７を起立状態にさせるためのもの
である。熱交換器は、駆動することによりコラム４（商品陳列棚３）に載置された商品Ｗ
を所望の冷却温度、あるいは加熱温度に維持するためのものである。
【００１２】
本体キャビネット１には、前面開口を開閉するための前面扉８が設けてある。前面扉８
は、図１に示すように、前面開口の左側縁部に軸支された左扉８ａと、前面開口の右側縁
部に軸支された右扉８ｂとを有している。左扉８ａおよび右扉８ｂは、矩形の枠体にガラ
ス等の透明板材を嵌め込んで構成してある。これら左扉８ａおよび右扉８ｂは、前面開口
を左右両開きで開閉する際に、指を掛けるための把手９を備えている。把手９は、左扉８
ａにおいて右端となる部位と、右扉８ｂにおいて左端となる部位とにそれぞれ設けてある
。そのような構成の前面扉８は、錠機構１０（図２参照）により施錠および解錠されるよ
うに構成してある。
【００１３】
本体キャビネット１の前面パネル１１には、カード挿入口１２、精算ボタン１３、カー
ド精算ボタン１４、硬貨投入口１５、紙幣挿入口１６、一体表示器１７および硬貨返却口
１８が設けてある。一方、前面パネル１１の後面側には、硬貨処理機１９、金銭回収部（
図示せず）および紙幣処理機２０が設けてある。
【００１４】
カード挿入口１２は、例えば社員証やＩＣ（Integrated  Circuit）カード等の情報記
録媒体（以下、ＩＣカードと称する）を挿入するための開口である。このカード挿入口１
２は、挿入されたＩＣカードを返却するための機能を有している。精算ボタン１３は、利
用者が取り出した商品Ｗを精算するための押ボタンスイッチである。カード精算ボタン１
４は、カード挿入口１２に挿入されたＩＣカードに格納された情報に基づいて、利用者が
取り出した商品Ｗを精算するための押ボタンスイッチである。硬貨投入口１５は、利用者
が硬貨を投入するための開口である。この硬貨投入口１５を通じて投入された硬貨は、硬
貨処理機１９においてその金種が識別され、その後、金銭回収部に収容されることになる
。紙幣挿入口１６は、利用者が紙幣を挿入するための開口である。この紙幣挿入口１６を
通じて挿入された紙幣は、紙幣処理機２０においてその金種が識別され、その後、上記金
銭回収部に収容されることになる。また上記紙幣挿入口１６は、紙幣処理機２０において
識別できなかった紙幣を返却するための機能を有している。一体表示器１７は、後述する
制御手段３０を通じて精算された金額等の各種情報を利用者に表示するためのものである
。硬貨返却口１８は、硬貨処理機１９において識別できなかった硬貨、あるいは釣銭とな
る硬貨を利用者に返却するための開口である。
【００１５】
上記ショーケースは、本体キャビネット１の内部に制御手段３０を備えている。制御手
段３０は、図４に示したように、主制御部３１と、リーダライタ３２と、錠制御部３３と
、取出商品検出部３４と、合計金額算出部３５と、精算処理部３６と、カード精算処理部
３７とを備えて構成してある。主制御部３１は、例えばＲＡＭやＲＯＭ等のメモリ３８に
格納してあるデータやプログラムに基づいて制御手段３０の動作を統括的に制御するもの
である。ここに、メモリ３８には、上記データやプログラム以外にも必要な情報、例えば
各コラム番号に割り付けられた商品の価格に関する情報、販売許容条件に関する情報等々
が格納してある。
【００１６】
リーダライタ３２は、カード挿入口１２に挿入されたＩＣカードとの間で無線通信を行
い、該ＩＣカードに対して必要な情報の読み出しおよび書き込みを行うものである。ＩＣ
カードには、固有の識別子である識別情報（ＩＤ情報）や、必要に応じて予め払い込んだ
払込金額に関する情報が格納してある。つまり、リーダライタ３２は、ＩＣカード固有の
識別情報を読み出す一方、必要に応じて精算後の残金に関する残金情報を書き込むもので
ある。
【００１７】
錠制御部３３は、前面扉８を施錠および解錠を行う錠機構１０の動作を制御するもので
ある。取出商品検出部３４は、錠制御部３３を通じて錠機構１０を解錠させた後、利用者
により取り出された商品Ｗを検出するものである。より具体的に説明すると、取出商品検
出部３４は、錠機構１０を解除させた後に、商品検知機構５が駆動したコラム番号を検出
するものである。
【００１８】
合計金額算出部３５は、取出商品検出部３４を通じて検出されたコラム番号と、予め格
納されているコラム番号に割り付けられた商品価格とから、利用者が取り出した商品Ｗの
合計金額を算出するものである。この合計金額算出部３５で算出された合計金額は、上記
一体表示器１７に表示されることになる。
【００１９】
精算処理部３６は、硬貨処理機１９および紙幣処理機２０を通じて識別された金銭に基
づいて精算処理を行うものである。具体的には、硬貨処理機１９および紙幣処理機２０を
通じて識別された金銭のうち、合計金額算出部３５を通じて算出された合計金額に相当す
る分については、金銭回収部に収容させる。一方、該合計金額を超える分については、硬
貨返却口１８または紙幣挿入口１６を通じて釣銭として返却させる。
【００２０】
カード精算処理部３７は、ＩＣカードを電子マネーとして精算する場合に、リーダライ
タ３２を通じて読み出したＩＣカードの払込金額情報から、合計金額算出部３５を通じて
算出した合計金額に相当する分の電子マネーを引き去って精算を行うものである。
【００２１】
以上のような構成を有するショーケースは、次のようにして内部の商品Ｗを販売する。
尚、説明の便宜上、まず現金で精算する場合について説明する。
【００２２】
利用者がＩＣカードをカード挿入口１２に挿入すると、制御手段３０の主制御部３１は
、リーダライタ３２を通じてカード挿入口１２に挿入されたＩＣカードの識別情報を読み
出す。ここで読み出した識別情報が、予めメモリ３８に格納してある販売許容条件を具備
する場合には、主制御部３１は、錠制御部３３を通じて錠機構１０を解錠させる。これに
より、利用者は、前扉を開成して商品収容室２の内部にある商品Ｗを取り出すことができ
る。その際、利用者は、一つの商品Ｗだけでなく、複数の商品Ｗを取り出すことができる
。利用者により商品Ｗが取り出されたコラム４では、アクチュエータ６が駆動して売切表
示板７を起立状態にさせる。一方、利用者が商品Ｗを返却する場合には、該商品Ｗが載置
されていた元のコラム４に載置すれば良い。
【００２３】
必要な商品Ｗを取り出した利用者が前扉を閉成させた後に精算ボタン１３を押下すると
、主制御部３１は、錠制御部３３を通じて錠機構１０を施錠させる。そして、主制御部３
１は、取出商品検出部３４を通じて、錠機構１０を解除させた後に利用者により取り出さ
れた商品Ｗのコラム番号、すなわち商品検知機構５が駆動したコラム番号を検出する。取
り出された商品Ｗのコラム番号を検出した主制御部３１は、合計金額算出部３５を通じて
、該コラム番号と、メモリ３８に格納されているコラム番号に割り付けられた商品価格と
から、利用者が取り出した商品Ｗの合計金額を算出し、その金額を一体表示器１７を通じ
て表示させる。これにより、利用者は、一体表示器１７に表示された合計金額を満たす金
銭を硬貨投入口１５を通じて投入、あるいは紙幣挿入口１６を通じて挿入することになる
。硬貨投入口１５を通じて投入された硬貨は、硬貨処理機１９でその金種が識別され、紙
幣挿入を通じて挿入された紙幣は、紙幣処理機２０でその金種が識別されることになる。
【００２４】
そして、主制御部３１は、精算処理部３６を通じて、硬貨処理機１９および金銭処理機
で識別された金銭に基づいて精算処理を行う。具体的には、主制御部３１は、精算処理部
３６を通じて、硬貨処理機１９および紙幣処理機２０を通じて識別された金銭のうち、合
計金額に相当する分については、金銭回収部に収容させる一方、該合計金額を超える分に
ついては、硬貨返却口１８または紙幣挿入口１６を通じて釣銭として返却させる。
【００２５】
上記精算処理が終了すると、主制御部３１は、カード挿入口１２に挿入されたＩＣカー
ドを返却して待機状態になる。
【００２６】
一方、ＩＣカードに予め格納されている払込金額情報に基づき精算をする場合、すなわ
ちＩＣカードを電子マネーとして精算する場合には、ショーケースは、次のようにして内
部の商品Ｗを販売することになる。
【００２７】
利用者がＩＣカードをカード挿入口１２に挿入すると、制御手段３０の主制御部３１は
、リーダライタ３２を通じてカード挿入口１２に挿入されたＩＣカードの識別情報を読み
出す。ここで読み出した識別情報が、予めメモリ３８に格納してある販売許容条件を具備
する場合には、主制御部３１は、錠制御部３３を通じて錠機構１０を解錠させる。これに
より、利用者は、前扉を開成して商品収容室２の内部にある商品Ｗを取り出すことができ
る。その際、利用者は、一つの商品Ｗだけでなく、複数の商品Ｗを取り出すことができる
。利用者により商品Ｗが取り出されたコラム４では、アクチュエータ６が駆動して売切表
示板７を起立状態にさせる。一方、利用者が商品Ｗを返却する場合には、該商品Ｗが載置
されていた元のコラム４に載置すれば良い。
【００２８】
必要な商品Ｗを取り出した利用者が前扉を閉成させた後にカード精算ボタン１４を押下
すると、主制御部３１は、錠制御部３３を通じて錠機構１０を施錠させる。そして、主制
御部３１は、取出商品検出部３４を通じて、錠機構１０を解除させた後に利用者により取
り出された商品Ｗのコラム番号、すなわち商品検知機構５が駆動したコラム番号を検出す
る。取り出された商品Ｗのコラム番号を検出した主制御部３１は、合計金額算出部３５を
通じて、該コラム番号と、メモリ３８に格納されているコラム番号に割り付けられた商品
価格とから、利用者が取り出した商品Ｗの合計金額を算出し、その金額を一体表示器１７
を通じて表示させる。それと同時に、主制御部３１は、リーダライタ３２を通じて、カー
ド挿入口１２に挿入されているＩＣカードに格納されている払込金額情報の読み出しを行
う。
【００２９】
そして、主制御部３１は、カード精算処理部３７を通じて、リーダライタ３２で読み出
したＩＣカードの払込金額情報から、合計金額算出部３５を通じて算出した合計金額に相
当する分の電子マネーを引き去って精算を行う。その後、主制御部３１は、カード挿入口
１２に挿入されたＩＣカードを返却して待機状態になる。
【００３０】
本発明の実施の形態に係るショーケースを総括して説明すると、制御手段３０および錠
機構１０が、提示されたＩＣカード（情報記録媒体）から読み出した識別情報が予め決め
られた条件を具備する場合に、商品Ｗの取り出しを許可する商品取出許可手段を構成する
。また、制御手段３０、硬貨処理機１９および紙幣処理機２０が、商品取出許可手段によ
り商品Ｗの取り出しが許可された後に取り出された商品Ｗの合計金額を精算する精算手段
を構成する。
【００３１】
以上説明したように、本発明の実施の形態に係るショーケースによれば、提示されたＩ
Ｃカードから読み出した識別情報が予め決められた販売許容条件を具備する場合に、商品
Ｗの取り出しを許可し、許可された後に取り出された商品Ｗの合計金額を精算するように
したので、１回の販売時に複数の商品Ｗを販売することができ販売効率の向上させること
ができる。また、そのようなショーケースでは、従来必要であった高価な商品搬送装置を
必要としないため、コストを低減させることができる。従って、例えば無人店舗等のよう
な場所に設置して無人販売を可能にしながら、コストの低減化および販売効率の向上を図
ることができる。
【００３２】
また、上記ショーケースによれば、一度取り出した商品Ｗも精算前であれば、元の場所
（コラム４）に戻すことができるので、利用者にとっては通常の有人店舗と同様の感覚で
商品Ｗを購入することができる。
【００３３】
以上、本発明の好適な実施の形態について説明したが、本発明はこれに限定されるもの
ではなく、種々の変更を行うことができる。例えば、上記実施の形態においては、商品検
知機構５として、アクチュエータ６とマイクロスイッチとを組み合わせたものを用いたが
、本発明では、光センサ等を用いて商品検知機構を構成しても良いし、商品自体にＩＣタ
グを付けて商品検知機構を構成しても良い。
【産業上の利用可能性】
【００３４】
以上のように、本発明に係るショーケースは、内部に陳列された各種商品の販売に有用
である。
【図面の簡単な説明】
【００３５】
【図１】本発明の実施の形態に係るショーケースの構成を示した斜視図である。
【図２】本発明の実施の形態に係るショーケースの構成を模式的に示したブロック図である。
【図３】図１に示したショーケースを構成する商品検知機構の一例を示した斜視図である。
【図４】図２に示した制御手段の構成を模式的に示したブロック図である。
【符号の説明】
【００３６】
１      本体キャビネット
２      商品収容室
３      商品陳列棚
４      コラム
５      商品検知機構
６      アクチュエータ
７      売切表示板
８      前扉
９      把手
１０    錠機構
１１    前面パネル
１２    カード挿入口
１３    精算ボタン
１４    カード精算ボタン
１５    硬貨投入口
１６    紙幣挿入口
１７    一体表示器
１８    硬貨返却口
１９    硬貨処理機
２０    紙幣処理機
３０    制御手段
３１    主制御部
３２    リーダライタ
３３    錠制御部
３４    取出商品検出部
３５    合計金額算出部
３６    精算処理部
３７    カード精算処理部
３８    メモリ
Ｗ      商品
【図１】
2006184965.tif 000003
【図２】
2006184965.tif 000004
【図３】
2006184965.tif 000005
【図４】
2006184965.tif 000006